(57)【要約】【課題】  メモリ消費量の増大を抑えつつユーザにとって利便性の高いアドレス帳機能を提供することができる通信装置、送信先選択方法、及び送信先選択プログラムの提供を目的とする。【解決手段】  第一のアドレス情報が保存される記憶手段と、リムーバブルメディアに記録された情報にアクセスするアクセス手段と、所定の情報を表示する表示手段とを有する通信装置であって、前記リムーバブルメディアに記録された第二のアドレス情報を前記第一のアドレス情報と共に前記表示手段に表示させ、表示されたアドレス情報の中から選択された宛先を送信先とすることにより上記課題を解決する。【選択図】  図６
2007053630.tif 000002
【特許請求の範囲】
【請求項１】
第一のアドレス情報が保存される記憶手段と、リムーバブルメディアに記録された情報にアクセスするアクセス手段と、所定の情報を表示する表示手段とを有する通信装置であって、
前記リムーバブルメディアに記録された第二のアドレス情報を前記第一のアドレス情報と共に前記表示手段に表示させ、表示されたアドレス情報の中から選択された宛先を送信先とすることを特徴とする通信装置。
【請求項２】
前記第一のアドレス情報と前記第二のアドレス情報とを統合したアドレス情報を前記表示手段に表示させることを特徴とする請求項１記載の通信装置。
【請求項３】
前記第二のアドレス情報を前記記憶手段に書き込むことを特徴とする請求項１又は２記載の通信装置。
【請求項４】
前記第二のアドレス情報を前記第一のアドレス情報と統合して前記記憶手段に書き込むことを特徴とする請求項３記載の通信装置。
【請求項５】
前記第二のアドレス情報の表示の要否を選択させる画面を前記表示装置に表示させることを特徴とする請求項１乃至４いずれか一項記載の通信装置。
【請求項６】
前記記憶手段又は前記リムーバブルメディアには前記第二のアドレス情報の表示の要否を示す設定情報が記録されており、
前記設定情報に基づいて前記第二のアドレス情報を前記表示装置に表示させることを特徴とする請求項１乃至４いずれか一項記載の通信装置。
【請求項７】
第一のアドレス情報が保存される記憶手段と、リムーバブルメディアに記録された情報にアクセスするアクセス手段と、所定の情報を表示する表示手段とを有する通信装置における送信先選択方法であって、
前記リムーバブルメディアに記録された第二のアドレス情報を前記第一のアドレス情報と共に前記表示手段に表示させる表示手順と、
表示されたアドレス情報の中から選択された宛先を送信先とする送信先選択手順とを有することを特徴とする送信先選択方法。
【請求項８】
第一のアドレス情報が保存される記憶手段と、リムーバブルメディアに記録された情報にアクセスするアクセス手段と、所定の情報を表示する表示手段とを有する通信装置に、
前記リムーバブルメディアに記録された第二のアドレス情報を前記第一のアドレス情報と共に前記表示手段に表示させる表示手順と、
表示されたアドレス情報の中から選択された宛先を送信先とする送信先選択手順とを実行させるための送信先選択プログラム。
【発明の詳細な説明】
【技術分野】
【０００１】
本発明は、通信装置、送信先選択方法、及び送信先選択プログラムに関し、特にアドレス帳機能を用いて情報を送信する通信装置、送信先選択方法、及び送信先選択プログラムに関する。
【背景技術】
【０００２】
従来より、スキャナ・プリンタ・ファクシミリ機能（画像形成機能・画像通信機能）を有する複合機や、ファクシミリ装置において、アドレス帳機能を有するものがある。これらの機器では、アドレス情報をメモリに記憶しており、利用者が送信先のキーワードを入力すると、それに応答した送信先電話番号が選択されて、ファクシミリ送信を行なう。  しかし、この機能を利用するには、アドレス情報のデータ登録作業は機器毎に行なわなければならなかった。
【０００３】
そこで、例えば、利用者の負担を軽減しようという発明で、パーソナルコンピュータの個人アドレス帳（送信先電話番号や電子メールアドレス等）を、ネットワーク経由で容易に機器に送信するようにしたものが提案されている（特許文献１参照）。
【特許文献１】特開２００２−４１２５０号公報
【発明の開示】
【発明が解決しようとする課題】
【０００４】
しかしながら、アドレス情報を複合機やファクシミリ装置などの機器のメモリに保有するという点では何ら変わらない。これらの機器のメモリ容量は限られており、複数の利用者がそれぞれ個人アドレス帳データを大量に送信し、機器内のメモリに保有すれば、メモリオーバになってしまう。
【０００５】
本発明は、上記の点に鑑みてなされたものであって、メモリ消費量の増大を抑えつつユーザにとって利便性の高いアドレス帳機能を提供することができる通信装置、送信先選択方法、及び送信先選択プログラムの提供を目的とする。
【課題を解決するための手段】
【０００６】
そこで上記課題を解決するため、本発明は、第一のアドレス情報が保存される記憶手段と、リムーバブルメディアに記録された情報にアクセスするアクセス手段と、所定の情報を表示する表示手段とを有する通信装置であって、
前記リムーバブルメディアに記録された第二のアドレス情報を前記第一のアドレス情報と共に前記表示手段に表示させ、表示されたアドレス情報の中から選択された宛先を送信先とすることを特徴とする。
【０００７】
このような通信装置では、メモリ消費量の増大を抑えつつユーザにとって利便性の高いアドレス帳機能を提供することができる。
【発明の効果】
【０００８】
本発明によれば、メモリ消費量の増大を抑えつつユーザにとって利便性の高いアドレス帳機能を提供することができる通信装置、送信先選択方法、及び送信先選択プログラムを提供することができる。
【発明を実施するための最良の形態】
【０００９】
以下、添付図面を参照しながら、本発明の実施の形態を詳細に説明する。本実施の形態では、データ送信機能としてのファクシミリ機能や、スキャナ機能及び複写機能等を備えた複合機を通信装置の一例として説明する。当該複合機は、外部記憶媒体としてリムーバブルメディアを用いることができる。
【００１０】
図１は、本発明の一実施例にかかる複合機の構成例を示すブロック図である。
【００１１】
図１において、システム制御部１は、複合機１００の各部の制御処理、スキャナ機能制御処理、複写機能制御処理、および、ファクシミリ伝送制御手順処理などの各種制御処理を行うものである。システムメモリ２は、システム制御部１が実行する制御処理プログラム、および、処理プログラムを実行するときに必要な各種データなどを記憶するとともに、システム制御部１のワークエリアを構成するものである。パラメータメモリ３は、複合機１００に固有な各種の情報を記憶するためのものであ。時計回路４は、現在時刻情報を出力するものである。
【００１２】
スキャナ５は、所定の解像度で原稿画像を読み取るためのものである。プロッタ６は、所定の解像度で画像を記録出力するためのものである。操作表示部７は、複合機１００を操作するためのもので、各種の操作キー、および、各種の表示器からなる。
【００１３】
符号化復号化部８は、画信号を符号化圧縮するとともに、符号化圧縮されている画情報を元の画信号に復号化するためのものである。画像蓄積装置９は、符号化圧縮された状態の画情報を多数記憶するためのものである。
【００１４】
グループ３（Ｇ３）ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１５】
網制御装置１１は、複合機１００をアナログ公衆回線網ＰＳＴＮに接続するためのものであり、自動発着信機能を備えている。
【００１６】
リムーバブルメディア１２は、例えば、ＣＤやＤＶＤなどの光学記憶媒体、あるいは、各種メモリカード等のメモリカード媒体である。リムーバブルメディア駆動装置１３は、リムーバブルメディア１２に対して適宜にデータアクセス（読み出しおよび書き込み）を行うためのものである。リムーバブルメディア制御部１４は、リムーバブルメディア駆動装置１３の動作を制御するためのものである。
【００１７】
ここで、メモリカード媒体としては、複数メーカより独自規格のものが提供されているが、リムーバブルメディア駆動装置１３およびリムーバブルメディア制御部１４は、それらの複数種類のメモリカード媒体をアクセスできるようにすることが好ましい。
【００１８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、リムーバブルメディア制御部１４は、内部バス１５に接続されており、これらの各要素間でのデータのやりとりは、主として内部バス１５を介して行われている。
【００１９】
また、網制御装置１１とグループ３ファクシミリモデム１０との間のデータのやりとりは、直接行なわれている。
【００２０】
図２は、リムーバブルメディアに記録される情報の一例を示す図である。図２に示されるように、リムーバブルメディア１２には、少なくともユーザごとに個別の宛先情報が登録されたアドレス帳（個人アドレス帳）が記録されている。
【００２１】
また、これ以外にも、例えば、複合機１００のスキャナ機能を用いて読み取られた画像データを、リムーバブルメディア１２に格納することができる。
【００２２】
図３は、操作表示部の一例を示す図である。図３において操作表示部７は、スタートキー７ａ、キャンセルキー７ｂ、テンキー７ｃ、リセットキー７ｄ、アプリケーションキー７ｅ、及び液晶表示機７ｆ等より構成されている。
【００２３】
スタートキー７ａは、複合機１００の各種動作の開始を指令入力するためのものである。キャンセルキー７ｂは、複合機１００の動作の停止を指令入力するためのものである。テンキー７ｃは、電話番号などの数字（数値）情報を入力するためのものである。リセットキー７ｄは、テンキー７ｃの入力値をクリアするためのものである。
【００２４】
アプリケーションキー７ｅは、複合機１００の各種機能を指定するためのものである。液晶表示器７ｆは、複合機１００の操作ガイダンスの表示や、入力情報のフィードバック表示などの種々のメッセージを表示するためのものであり、その表面には、タッチパネル（図示略）が付設されていて、ソフトキーボードを構成できるようになっている。
【００２５】
以下、本実施の形態の複合機１００の処理について説明する。
【００２６】
図４は、第一の実施の形態の複合機の処理手順を説明するためのフローチャートである。図４の処理は、システム制御部１がシステムメモリ２に記憶されたプログラムに基づいて実行する。
【００２７】
操作表示部７のアプリケーションキー７ｅにて、アプリが選択されるとき、それが例えばデータ送信機能の1つであるＦＡＸである場合（Ｓ１０１でＹｅｓ）、リムーバブルメディア１２がスロットに挿入されている状態かどうかを判定する（Ｓ１０２）。挿入されていれば（Ｓ１０２でＹｅｓ）、リムーバブルメディア１２より個人アドレス帳を読み出し、当該アドレス帳を液晶表示機７ｆに表示させる（Ｓ１０３）。
【００２８】
図５は、第一の実施の形態におけるアドレス帳の表示例を示す図である。図５の液晶表示機７ｆにおいて、７ｆ−１で示される破線で囲まれた領域にはリムーバブルメディア１２より読み出された個人アドレス帳に含まれている各アドレスが表示されている。ユーザは、表示されたアドレスを選択することでＦＡＸ等の送信先を指定することができる。
【００２９】
なお、７ｆ−２に示されるように、表示されているアドレス帳が外部のリムーバブルメディア１２内のアドレス帳であることを表示するようにするとユーザにとって便宜である。
【００３０】
一方、リムーバブルメディア１２が挿入されていない場合（Ｓ１０２でＮｏ）、複合機１００内（例えば、パラメータメモリ３）に記憶されているアドレス帳を読み出し、当該アドレス帳を液晶表示機７ｆに表示させる（Ｓ１０４）。
【００３１】
なお、データ送信機能以外のアプリが選択された場合（Ｓ１０１でＮｏ）、上記処理は実行されない。
【００３２】
上述したように、第一の実施の形態における複合機１００によれば、リムーバブルメディア１２に記憶されているアドレス帳を用いて宛先を指定することができるので、各ユーザのリムーバブルメディア１２に当該ユーザの個人別のアドレス帳を登録することで、ユーザの使い勝手が向上する。
【００３３】
また、ユーザ別のアドレス帳を複合機本体に備える必要がないので、複合機１００のメモリ容量を削減することができ、複合機１００のコストを低減することができる。
【００３４】
次に、第二の実施の形態について説明する。図６は、第二の実施の形態の複合機の処理手順を説明するためのフローチャートである。図６の処理は、システム制御部１がシステムメモリ２に記憶されたプログラムに基づいて実行する。
【００３５】
操作表示部７のアプリケーションキー７ｅにて、アプリが選択されるとき、それが例えばデータ送信機能の1つであるＦＡＸである場合（Ｓ２０１でＹｅｓ）、リムーバブルメディア１２がスロットに挿入されている状態かどうかを判定する（Ｓ２０２）。挿入されていれば（Ｓ２０２でＹｅｓ）、複合機１００内（例えば、パラメータメモリ３）に記憶されているアドレス帳と、リムーバブルメディア１２内の個人アドレス帳とを読み出し、両アドレス帳を液晶表示機７ｆに表示させる（Ｓ２０３）。
【００３６】
図７は、第二の実施の形態におけるアドレス帳の表示例を示す図である。図７の表示例では、二つのタブ（タブ７ｆ−３及びタブ７ｆ−４）の選択によって、複合機１００内のアドレス帳の表示と、リムーバブルディア１２より読み出された個人アドレス帳の表示とを切り替えることができる。すなわち、複合機１００は、タブ７ｆ−３が選択されると複合機１００内のアドレス帳を表示させ、タブ７ｆ−４が選択されるとリムーバブルメディア１２より読み出された個人アドレス帳を表示させる。
【００３７】
一方、リムーバブルメディア１２が挿入されていない場合（Ｓ２０２でＮｏ）、複合機１００内に記憶されているアドレス帳を読み出し、当該アドレス帳を液晶表示機７ｆに表示させる（Ｓ２０４）。
【００３８】
なお、データ送信機能以外のアプリが選択された場合（Ｓ２０１でＮｏ）、上記処理は実行されない。
【００３９】
上述したように、第二の実施の形態における複合機１００によれば、リムーバブルメディア１２内の個人アドレス帳と、機器内のアドレス帳とを共に表示させることができる。したがって、ユーザは、リムーバブルメディア１２を挿入するという簡単な操作で、複合機１００のメモリを占有することなく、双方のアドレス帳を利用することができる。
【００４０】
次に、第三の実施の形態について説明する。図８は、第三の実施の形態の複合機の処理手順を説明するためのフローチャートである。図８の処理は、システム制御部１がシステムメモリ２に記憶されたプログラムに基づいて実行する。
【００４１】
操作表示部７のアプリケーションキー７ｅにて、アプリが選択されるとき、それが例えばデータ送信機能の1つであるＦＡＸである場合（Ｓ３０１でＹｅｓ）、リムーバブルメディア１２がスロットに挿入されている状態かどうかを判定する（Ｓ３０２）。挿入されていれば（Ｓ３０２でＹｅｓ）、複合機１００内（例えば、パラメータメモリ３）に記憶されているアドレス帳と、リムーバブルメディア１２内の個人アドレス帳とを読み出し、両アドレス帳を統合して一つのアドレス帳とし、液晶表示機７ｆに表示させる（Ｓ３０３）。
【００４２】
図９は、第三の実施の形態におけるアドレス帳の表示例を示す図である。図９の液晶表示機７ｆにおいて、７ｆ−１で示される破線で囲まれた領域には複合機内のアドレス帳とリムーバブルメディア１２より読み出された個人アドレス帳とが統合されたアドレス帳に含まれている各アドレスが表示されている。ユーザは、表示されたアドレスを選択することでＦＡＸ等の送信先を指定することができる。
【００４３】
なお、７ｆ−２に示されるように、表示されているアドレス帳には外部のリムーバブルメディア１２の個人アドレス帳が含まれていることを明示するとユーザにとって便宜である。この際、アルファベット順や五十音順等、任意の順序でのソートを行ってもよい。
【００４４】
一方、リムーバブルメディア１２が挿入されていない場合（Ｓ３０２でＮｏ）、複合機１００内に記憶されているアドレス帳のみを読み出し、当該アドレス帳を液晶表示機７ｆに表示させる（Ｓ３０４）。
【００４５】
なお、データ送信機能以外のアプリが選択された場合（Ｓ３０１でＮｏ）、上記処理は実行されない。
【００４６】
上述したように、第三の実施の形態における複合機１００によれば、リムーバブルメディア１２内の個人アドレス帳と、機器内のアドレス帳とを統合し、一つのアドレス帳として表示させることができる。したがって、ユーザは、リムーバブルメディア１２を挿入するという簡単な操作で、複合機１００のメモリを占有することなく、双方のアドレス帳を容易に利用することができる。更に、複数箇所に同時に送信する場合、ユーザは複数のアドレス帳の別を意識することなく、一つの原稿を複数のアドレス帳に含まれているそれぞれの宛先に送信することができる。
【００４７】
次に、第四の実施の形態について説明する。図１０は、第四の実施の形態の複合機の処理手順を説明するためのフローチャートである。図１０の処理は、システム制御部１がシステムメモリ２に記憶されたプログラムに基づいて実行する。
【００４８】
操作表示部７のアプリケーションキー７ｅにて、アプリが選択されるとき、それが例えばデータ送信機能の1つであるＦＡＸである場合（Ｓ４０１でＹｅｓ）、リムーバブルメディア１２がスロットに挿入されている状態かどうかを判定する（Ｓ４０２）。挿入されていれば（Ｓ４０２でＹｅｓ）、リムーバブルメディア１２内の個人アドレス帳を複合機１００内（例えば、パラメータメモリ３）にコピーし（Ｓ４０３）、複合機１００内のアドレス帳、すなわち、コピーされた個人アドレス帳を含むアドレス帳を全て液晶表示機７ｆに表示させる（Ｓ４０４）。この際の表示例は、図７と同様である。
【００４９】
一方、リムーバブルメディア１２が挿入されていない場合（Ｓ４０２でＮｏ）、個人アドレス帳のコピーは行わずに複合機１００内のアドレス帳を表示させる（Ｓ４０４）。
【００５０】
なお、データ送信機能以外のアプリが選択された場合（Ｓ４０１でＮｏ）、上記処理は実行されない。
【００５１】
上述したように、第四の実施の形態における複合機１００によれば、ユーザは、リムーバブルメディア１２を挿入するという簡単な操作で、リムーバブルメディア１２内の個人アドレス帳を複合機１００内にコピーすることができる。
【００５２】
次に、第五の実施の形態について説明する。図１１は、第五の実施の形態の複合機の処理手順を説明するためのフローチャートである。図１１の処理は、システム制御部１がシステムメモリ２に記憶されたプログラムに基づいて実行する。
【００５３】
操作表示部７のアプリケーションキー７ｅにて、アプリが選択されるとき、それが例えばデータ送信機能の1つであるＦＡＸである場合（Ｓ５０１でＹｅｓ）、リムーバブルメディア１２がスロットに挿入されている状態かどうかを判定する（Ｓ５０２）。挿入されていれば（Ｓ５０２でＹｅｓ）、リムーバブルメディア１２内の個人アドレス帳に含まれている情報（各アドレス情報）を複合機１００内（例えば、パラメータメモリ３）にコピーし、複合機１００内のアドレス帳に含まれている情報にマージする（Ｓ５０３）。続いて複合機１００内にマージされたアドレス帳を液晶表示機７ｆに表示させる（Ｓ５０４）。この際の表示例は、図９と同様である。
【００５４】
一方、リムーバブルメディア１２が挿入されていない場合（Ｓ５０２でＮｏ）、個人アドレス帳のコピーが行わずに複合機１００内のアドレス帳を表示させる（Ｓ５０４）。
【００５５】
なお、データ送信機能以外のアプリが選択された場合（Ｓ５０１でＮｏ）、上記処理は実行されない。
【００５６】
上述したように、第五の実施の形態における複合機１００によれば、ユーザは、リムーバブルメディア１２を挿入するという簡単な操作で、リムーバブルメディア１２内の個人アドレス帳を複合機１００の内にコピーすることができ、両アドレス帳の情報をマージさせることができる。したがって、両アドレス帳の別を意識することなく一つのアドレス帳として利用することができる。
【００５７】
次に、第六の実施の形態について説明する。図１２は、第六の実施の形態の複合機の処理手順を説明するためのフローチャートである。図１２の処理は、システム制御部１がシステムメモリ２に記憶されたプログラムに基づいて実行する。
【００５８】
操作表示部７のアプリケーションキー７ｅにて、アプリが選択されるとき、それが例えばデータ送信機能の1つであるＦＡＸである場合（Ｓ６０１でＹｅｓ）、リムーバブルメディア１２がスロットに挿入されている状態かどうかを判定する（Ｓ６０２）。挿入されていれば（Ｓ６０２でＹｅｓ）、リムーバブルメディア１２内の個人アドレス帳の表示の要否をユーザに選択させるための画面（以下「ユーザ選択画面」という。）を液晶表示機７ｆに表示させる（Ｓ６０３）。
【００５９】
図１３は、第六の実施の形態におけるユーザ選択画面の表示例を示す図である。図１３において、ユーザ選択画面には、リムーバブルメディア１２内のアドレス帳の表示の要否を問い合わせるメッセージ７ｆ−５と、その要否を選択させるためのボタン７ｆ−６及び７ｆ−７とが表示されている。
【００６０】
ユーザがボタン７ｆ−６（「はい」）を選択すると（Ｓ６０４でＹｅｓ）、リムーバブルメディア１２内の個人アドレス帳を読み出し、液晶表示機７ｆに表示させる（Ｓ６０５）。この際の表示例は、図５と同様である。
【００６１】
一方、リムーバブルメディア１２が挿入されていない場合（Ｓ６０２でＮｏ）、又は、ユーザがボタン７ｆ−７「いいえ」を選択した場合（Ｓ６０４でＮｏ）は、複合機１００内（例えば、パラメータメモリ３）のアドレス帳を読み出し、液晶表示機７ｆに表示させる（Ｓ６０６）。
【００６２】
なお、データ送信機能以外のアプリが選択された場合（Ｓ６０１でＮｏ）、上記処理は実行されない。
【００６３】
上述したように、第六の実施の形態における複合機１００によれば、リムーバブルメディア１２内のアドレス帳の利用をユーザの任意によって選択させることができる。したがって、他の用途でリムーバブルメディア１２が挿入されている場合に、ユーザの意に反して個人アドレス帳が表示されるのを防止することができる。
【００６４】
なお、当該第六の実施の形態は、上記第二から第五の実施の形態と組み合わせて実施してもよい。
【００６５】
次に、第七の実施の形態について説明する。図１４は、第七の実施の形態の複合機の処理手順を説明するためのフローチャートである。図１４の処理は、システム制御部１がシステムメモリ２に記憶されたプログラムに基づいて実行する。
【００６６】
操作表示部７のアプリケーションキー７ｅにて、アプリが選択されるとき、それが例えばデータ送信機能の1つであるＦＡＸである場合（Ｓ７０１でＹｅｓ）、リムーバブルメディア１２がスロットに挿入されている状態かどうかを判定する（Ｓ７０２）。挿入されていれば（Ｓ７０２でＹｅｓ）、リムーバブルメディア１２内の個人アドレス帳の表示の要否に関する設定情報を参照し、当該設定情報においてリムーバブルメディア１２内の個人アドレス帳を表示する旨が設定されているか否かを判定する（Ｓ７０３）。当該設定情報は、リムーバブルメディア１２内に保存しておいてもよいし、複合機１００内（例えば、パラメータメモリ３）に保存しておいてもよい。前者の場合は、ユーザごとに設定情報を容易に変化させることができる。
【００６７】
当該設定情報においてリムーバブルメディア１２内の個人アドレス帳を表示する旨が設定されている場合（Ｓ７０３でＹｅｓ）、リムーバブルメディア１２内の個人アドレス帳を読み出し、液晶表示機７ｆに表示させる（Ｓ７０４）。この際の表示例は、図５と同様である。
【００６８】
一方、リムーバブルメディア１２が挿入されていない場合（Ｓ７０２でＮｏ）、又は、当該設定情報においてリムーバブルメディア１２内の個人アドレス帳を表示する旨が設定されていない場合（Ｓ７０３でＮｏ）は、複合機１００内（例えば、パラメータメモリ３）のアドレス帳を読み出し、液晶表示機７ｆに表示させる（Ｓ７０５）。
【００６９】
なお、データ送信機能以外のアプリが選択された場合（Ｓ７０１でＮｏ）、上記処理は実行されない。
【００７０】
上述したように、第七の実施の形態における複合機１００によれば、予め設定されている設定情報に基づいてリムーバブルメディア１２内の個人情報の表示の要否が判断されるため、ユーザに選択させる手間を省くことができる。
【００７１】
当該第七の実施の形態は、上記第二から第五の実施の形態と組み合わせて実施してもよい。
【００７２】
なお、上記第一から第七の実施の形態において、データ送信機能は、ＦＡＸ送信に限定されない。アドレス帳を使用する機能であれば、例えば、スキャンした画像をＥ−ｍａｉｌで送信する機能等を適用してもよい。
【００７３】
以上、本発明の実施例について詳述したが、本発明は係る特定の実施形態に限定されるものではなく、特許請求の範囲に記載された本発明の要旨の範囲内において、種々の変形・変更が可能である。
【図面の簡単な説明】
【００７４】
【図１】本発明の一実施例にかかる複合機の構成例を示すブロック図である。
【図２】リムーバブルメディアに記録される情報の一例を示す図である。
【図３】操作表示部の一例を示す図である。
【図４】第一の実施の形態の複合機の処理手順を説明するためのフローチャートである。
【図５】第一の実施の形態におけるアドレス帳の表示例を示す図である。
【図６】第二の実施の形態の複合機の処理手順を説明するためのフローチャートである。
【図７】第二の実施の形態におけるアドレス帳の表示例を示す図である。
【図８】第三の実施の形態の複合機の処理手順を説明するためのフローチャートである。
【図９】第三の実施の形態におけるアドレス帳の表示例を示す図である。
【図１０】第四の実施の形態の複合機の処理手順を説明するためのフローチャートである。
【図１１】第五の実施の形態の複合機の処理手順を説明するためのフローチャートである。
【図１２】第六の実施の形態の複合機の処理手順を説明するためのフローチャートである。
【図１３】第六の実施の形態におけるユーザ選択画面の表示例を示す図である。
【図１４】第七の実施の形態の複合機の処理手順を説明するためのフローチャートである。
【符号の説明】
【００７５】
１        システム制御部
２        システムメモリ
３        パラメータメモリ
４        時計回路
５        スキャナ
６        プロッタ
７        操作表示部
７ａ      スタートキー
７ｂ      キャンセルキー
７ｃ      テンキー
７ｄ      リセットキー
７ｅ      アプリケーションキー
７ｆ      液晶表示機
８        符号化復号化部
９        画像蓄積装置
１０      Ｇ３ファクシミリモデム
１１      網制御装置
１２      リムーバブルメディア
１３      リムーバブルメディア駆動装置
１４      リムーバブルメディア制御部
１５      内部バス
【図１】
2007053630.tif 000003
【図２】
2007053630.tif 000004
【図３】
2007053630.tif 000005
【図４】
2007053630.tif 000006
【図５】
2007053630.tif 000007
【図６】
2007053630.tif 000008
【図７】
2007053630.tif 000009
【図８】
2007053630.tif 000010
【図９】
2007053630.tif 000011
【図１０】
2007053630.tif 000012
【図１１】
2007053630.tif 000013
【図１２】
2007053630.tif 000014
【図１３】
2007053630.tif 000015
【図１４】
2007053630.tif 000016